(57)【要約】      （修正有）【課題】水位の影響を受けることなく、安定した排水を可能とし、泥や砂、木片等の異物が装置内に入ることも防止する釜場排水装置及び釜場排水方法を提供する。【解決手段】釜場排水装置１は、容器５側面に、外側ストレーナ部６を備えると共に、外側ストレーナ部６の内側に内側ストレーナ部８を備え、外側ストレーナ部６には、スリット７，７・・を設け、外側ストレーナ部６と内側ストレーナ部８との間には、砂利９を設け、内側ストレーナ部８には、孔を設けたことにより、水位の影響を受けることがなく、安定して排水を行うことが可能であり、釜場内の濁水を殆ど残すことなく吸引を可能とする。【選択図】図１
2012241653.tif 000002
【特許請求の範囲】
【請求項１】
釜場内に載置される容器と、当該容器内に設置され、濁水を釜場の外に排出する水中ポンプとで構成し、釜場内に滞留した濁水を吸引する釜場排水装置であって、
前記容器側面に、外側ストレーナ部を備えると共に、前記外側ストレーナ部の内側に内側ストレーナ部を備え、前記外側ストレーナ部には、第１の濾過手段を設け、前記外側ストレーナ部と前記内側ストレーナ部との間には、第２の濾過手段を設け、前記内側ストレーナ部には、第３の濾過手段を設けたことを特徴とする釜場排水装置。
【請求項２】
前記容器の上蓋には、前記内側ストレーナ部と前記水中ポンプとの間を閉塞するカバーが布設されたことを特徴とする請求項１に記載の釜場排水装置。
【請求項３】
前記第１の濾過手段を、幅を５ｍｍ以下とし、容器周面積に対する全体の開口率を２０％として、前記外側ストレーナ部表面の周方向へ伸びるように、複数形成されたスリットとしたことを特徴とする請求項１又は２に記載の釜場排水装置。
【請求項４】
前記第２の濾過手段を、前記外側ストレーナ部と前記内側ストレーナ部との間には、外径を５ｍｍ以上１０ｍｍ以下の砂利が充填されたことを特徴とする請求項１乃至３の何れかに記載の釜場排水装置。
【請求項５】
前記第３の濾過手段は、前記内側ストレーナ部に外径を５ｍｍ以下とし、前記内側ストレーナ部周面積に対する全体の開口率を３０％として、複数の孔が形成されたことを特徴とする請求項１乃至４の何れかに記載の釜場排水装置。
【請求項６】
前記容器の外周には、板厚が６ｍｍ以下、前記外側容器表面からの突出幅が５０ｍｍ以上９０ｍｍ以下とし、前記容器の底蓋又は当該底蓋に設けられた脚から所定の高さに巻き上げ防止板が設けられたことを特徴とする請求項１乃至５の何れかに記載の釜場排水装置。
【請求項７】
請求項１乃至６の何れかに記載の釜場排水装置を釜場に載置し、前記濁水を、前記第１の濾過手段で濾過した後、前記容器内へと流れ込ませる第１のステップと、
前記容器内へと流れ込ませた前記濁水を、前記第２の濾過手段で更に濾過した後、前記内側ストレーナ部内側へと流れ込ませる第２のステップと、
前記第３の濾過手段で更に濾過した後、前記内側ストレーナ部内側へと流れ込ませた前記濁水を、前記水中ポンプで吸引させる第３のステップと、
を有することを特徴とする釜場排水方法。
【発明の詳細な説明】
【技術分野】
【０００１】
本発明は、釜場内に滞留する濁水を汲み上げる排水装置及び釜場排水方法に関するものである。
【背景技術】
【０００２】
従来より釜場内に貯まった濁水を汲み上げる排水装置としては、釜場に直接水中ポンプを載置する方法が知られている。しかし、この方法では、濁水とともに泥の粒子や木片等の異物を巻き込み吸引することや、ポンプの吸引口に設けられたフィルターが目詰まりすることがあった。
また、濁水を釜場から吸引した後、別の場所に設置されたノッチタンクへと流して、このノッチタンク内で濁水を一旦濾過しなければ水を河川や下水に流すことができないといった問題もあった。
そこで、特許文献１に示すように、側面板上部に流入口が設けられた外枠部材と内枠部材とからなる箱状部材において、底部から所定の間隔を隔てて水中ポンプを取り付け、濁水を吸引する水中ポンプの設置装置が知られている。
【先行技術文献】
【特許文献】
【０００３】
【特許文献１】特開平１０−７７９８６号公報
【発明の概要】
【発明が解決しようとする課題】
【０００４】
しかしながら、上記従来の装置では、側面板上部に流入口を設けたことで、釜場内の濁水が流入口を経由して水中ポンプに吸引されることを可能とし、泥や砂、木片等の異物が装置内に混入することや、水中ポンプが泥に埋没することを防止するものの、水位が流入口より低い位置にある場合は、濁水を吸引できないといった不具合に加え、水位が流入口より高い場合では、異物が装置内に入ることを防止できないといった不具合も生じていた。
【０００５】
そこで、本発明の目的は、上記従来の問題点を解消するとともに、水位の影響を受けることなく、安定した排水を可能とし、泥や砂、木片等の異物が装置内に入ることも防止する釜場排水装置及び釜場排水方法を提供することにある。
【課題を解決するための手段】
【０００６】
本発明のうち、請求項１に記載された発明は、釜場内に載置される容器と、当該容器内に設置され、濁水を釜場の外に排出する水中ポンプとで構成し、釜場内に滞留した濁水を吸引する釜場排水装置であって、
前記容器側面に、外側ストレーナ部を備えると共に、前記外側ストレーナ部の内側に内側ストレーナ部を備え、前記外側ストレーナ部には、第１の濾過手段を設け、前記外側ストレーナ部と前記内側ストレーナ部との間には、第２の濾過手段を設け、前記内側ストレーナ部には、第３の濾過手段を設けたことを特徴とするものである。
【０００７】
請求項２に記載された発明は、請求項１に記載された発明において、前記容器の上蓋には、前記内側ストレーナ部と前記水中ポンプとの間を閉塞するカバーが布設されたことを特徴とするものである。
【０００８】
請求項３に記載された発明は、請求項１又は請求項２に記載された発明において、前記第１の濾過手段を、幅を５ｍｍ以下とし、容器周面積に対する全体の開口率を２０％として、前記外側ストレーナ部表面の周方向へ伸びるように、複数形成されたスリットとしたことを特徴とするものである。
【０００９】
請求項４に記載された発明は、請求項１乃至３に記載された発明において、前記第２の濾過手段を、前記外側ストレーナ部と前記内側ストレーナ部との間には、外径を５ｍｍ以上１０ｍｍ以下の砂利が充填されたことを特徴とするものである。
【００１０】
請求項５に記載された発明は、請求項１乃至４に記載された発明において、前記第３の濾過手段は、前記内側ストレーナ部に外径を５ｍｍ以下とし、前記内側ストレーナ部周面積に対する全体の開口率を３０％として、複数の孔が形成されたことを特徴とするものである。
【００１１】
請求項６に記載された発明は、請求項１乃至５に記載された発明において、前記容器外周には、板厚が６ｍｍ以下、前記容器表面からの突出幅が５０ｍｍ以上９０ｍｍ以下とし、前記容器の底蓋又は当該底蓋に設けられた脚から所定の高さに巻き上げ防止板が設けられたことを特徴とするものである。
【００１２】
請求項７に記載された発明は、請求項１乃至６の何れかに記載の釜場排水装置を釜場に載置し、前記濁水を、前記第１の濾過手段で濾過した後、前記容器内へと流れ込ませる第１のステップと、
前記容器内へと流れ込ませた前記濁水を、前記第２の濾過手段で更に濾過した後、前記内側ストレーナ部内側へと流れ込ませる第２のステップと、
前記第３の濾過手段で更に濾過した後、前記内側ストレーナ部内側へと流れ込ませた前記濁水を、前記水中ポンプで吸引させる第３のステップと、
を有することを特徴とするものである。
【発明の効果】
【００１３】
請求項１に記載された釜場排水装置によれば、水位の影響を受けることがなく、安定して排水を行うことが可能であり、釜場内の濁水を殆ど残すことなく吸引を可能とする。
また、濁水を釜場から吸引した後、ノッチタンクへと流し、ノッチタンク内で濁水を一旦濾過する必要が無く、且つそのまま河川や下水に流すことも可能である。
【００１４】
請求項２に記載された釜場排水装置によれば、異物が装置上部から内部に入ることを防止するため、異物が水中ポンプに吸引されることがなく、安定して排水を行うことを可能とする。
【００１５】
請求項３〜５に記載された釜場排水装置によれば、容器側面から装置内に異物が混入することを防止するため、異物が水中ポンプに吸引されることがなく、安定して排水を行うことを可能とする。
【００１６】
請求項６に記載された釜場排水装置によれば、吸引時に釜場と釜場排水装置との間で異物が巻き揚げられる現象が発生することを防止するため、濁水の排水を安定して行うことが可能である。
【００１７】
請求項７に記載された釜場排水方法によれば、水位の影響を受けることなく、安定して排水を行うことが可能であり、釜場内の濁水を殆ど残すことなく吸引が可能である。また、異物が装置内部に入ることを防止するため、異物が水中ポンプに吸引されることがなく、安定して排水を行うことを可能とする。
【図面の簡単な説明】
【００１８】
【図１】（ａ）は、釜場排水装置全体を示す全体図であり、（ｂ）は、その断面図である。
【図２】釜場排水装置で釜場内の濁水が排水される構造を示した説明図である。
【図３】（ａ）は、濁水の巻き上げ現象を示す説明図であり、（ｂ）は、当該現象を防止する巻き上げ防止板を取り付けた状態を示す説明図である。
【発明を実施するための形態】
【００１９】
以下、本発明の釜場排水装置の実施形態について、図面に基づいて詳細に説明する。
【００２０】
図１（ａ）は、釜場排水装置全体を示す説明図で、図１（ｂ）は、その断面を示したものである。図２は、釜場内の濁水２１が排水される構造を示したものである。
釜場排水装置１は、図１（ａ）に示す釜場内に載置される円筒形状の容器５と、この容器５内に設置され、濁水２１を釜場１８の外に排出する水中ポンプ２とで構成される。
【００２１】
このうち、容器５は、図１（ｂ）に示すように、外側側面には濁水２１を濾過する外側ストレーナ部６が備えられ、内側側面には、内側ストレーナ部８が備えられている。さらに容器５には、周縁に一定の間隔で脚１３，１３・・が取り付けられる底蓋１２と、内側ストレーナ部８と水中ポンプ２との間を閉塞するカバー１５とが備えられて、上方の周縁には、フック（図示せず）を懸ける吊りカン１１，１１が左右に設けられている。
【００２２】
次に、外側ストレーナ部６には、本発明の第１の濾過手段であり、幅を５ｍｍ以下とし、容器周面積に対する全体の開口率が２０％として、外側ストレーナ部表面の周方向へ伸びるように、スリット７，７・・が形成される。そして、外側ストレーナ部６と内側ストレーナ部８との間には、本発明の第２の濾過手段であり、外径を５〜１０ｍｍ以下とし、濾過フィルターの役割をする砂利９が充填されている。なお、この砂利９としては、天然亜砂利を使用することが好ましい。
また、この砂利９の上方には、中心を円形状に開口し、厚みを約９ｍｍとする上蓋１０を設置して、外側ストレーナ部６内径側に固定することで砂利９が容器５外部に出ることを防止している。
そして、内側ストレーナ部８には、本発明の第３の濾過手段であり、外径を５ｍｍ以下とし、内側ストレーナ部周面積に対する全体の開口率を３０％とする複数の孔が形成されている。
【００２３】
次に、内側ストレーナ部８の内側には、水中ポンプ２の吸入口が下端を向くように設置され、上端の接続口にはサクションホース３が接続されている。なお、この水中ポンプ２には、毎分最大３ｔの揚水量を備えたポンプを設置することが可能である。
【００２４】
次に、釜場排水装置１により、釜場内に滞留する濁水２１を吸引する手順について説明する。
図２に示すように掘削床面１９において、凹部状に形成された釜場１８に釜場排水装置１を釜場掘下面２０に載置する。この時、釜場掘下面２０と釜場排水装置１下部との間には、沈砂用の空間２４が形成され、泥や砂等が堆積される。
そして、釜場排水装置１内に設置された水中ポンプ２の運転を始めることで、濁水２１の吸引を開始する。
【００２５】
ここで、釜場１８内に滞留する濁水２１を濾過しながら、吸引する方法について説明する。
まず初めに、濁水２１を、外側ストレーナ部６表面に形成されたスリット７，７・・で濾過した後、外側ストレーナ部６から容器５内へと流れ込ませる（第１のステップ）。
次に、容器５内に流れ込ませた濁水２１が、外側ストレーナ部６と内側ストレーナ部８との間に充填された砂利９によって更に濾過される。
そして、容器５内へと流れ込ませた濁水２１は、内側ストレーナ部８に設けられた複数の孔（図示せず）から水中ポンプ２が設置される内側ストレーナ部８内部へと流れ込ませる（第２のステップ）。その後、内側ストレーナ部８内側へと流れ込ませた濁水２１を、内側ストレーナ部８の複数の孔で更に濾過した後、水中ポンプ２で吸引させる（第３のステップ）。そして、濁水２１は、水中ポンプ２で吸引されるに従い、水位面２２が、２２ａ、２２ｂ、２２ｃ・・へと徐々に低下する。
【００２６】
この様にして、釜場１８内に滞留する濁水２１が、水中ポンプ２で吸引されるものの、地層がシルト質や砂質等の場合、掘削機（バックホー）で釜場を掘り下げて掘削穴が自立しにくい状態でも、底ざらえ位置を確保すれば濁水２１の吸引が可能である。
この様にして、掘削床面１９の施工が完成した後、自然水位まで地下部構造物が完成するまでの間は、水中ポンプ２の運転を継続して行う。工事が完了した後は、水中ポンプ２の運転を終了し、釜場排水装置１の吊りカン１１，１１にアンカーを引っ掛けて釜場１８から撤去する。
【００２７】
このように、上記形態の釜場排水装置１によれば、容器５側面に、外側ストレーナ部６を備えると共に、外側ストレーナ部６の内側に内側ストレーナ部８を備え、外側ストレーナ部６には、スリット７，７・・を設け、外側ストレーナ部６と内側ストレーナ部８との間には、砂利９を設け、内側ストレーナ部８には、孔を設けたことにより、水位の影響を受けることがなく、安定して排水を行うことが可能であり、釜場１８内の濁水２１を殆ど残すことなく吸引を可能とする。
また、濁水２１を釜場１８から吸引した後、ノッチタンクへと流し、このノッチタンク内で濁水２１を一旦濾過する必要が無く、且つそのまま河川や下水に流すことも可能である。
【００２８】
また、容器５の上蓋には、内側ストレーナ部８と水中ポンプ２との間を閉塞するカバー１５が布設されたことにより、異物が装置上部から内部に入ることを防止するため、異物が水中ポンプ２に吸引されることがなく、安定して排水を行うことを可能とする。
【００２９】
他にも、第１の濾過手段を、幅を５ｍｍ以下とし、容器周面積に対する全体の開口率を２０％として、外側ストレーナ部６表面の周方向へ伸びるように、複数形成されたスリット７，７・・としたことや、第２の濾過手段を、外側ストレーナ部６と内側ストレーナ部８との間には、外径を５ｍｍ以上１０ｍｍ以下の砂利９が充填されたこと、第３の濾過手段は、内側ストレーナ部８に外径を５ｍｍ以下とし、内側ストレーナ部周面積に対する全体の開口率を３０％として、複数の孔が形成されたことにより、容器５側面から装置内に異物が混入することを防止するため、異物が水中ポンプ２に吸引されることがなく、安定して排水を行うことを可能とする。
【００３０】
また、釜場排水装置１を釜場に載置し、濁水２１を、複数のスリット７，７・・で濾過した後、容器５内へと流れ込ませる第１のステップと、容器５内へと流れ込ませた濁水２１を、砂利９で更に濾過した後、内側ストレーナ部８内側へと流れ込ませる第２のステップと、内側ストレーナ部６に形成された複数の孔で更に濾過した後、内側ストレーナ部８内側へと流れ込ませた濁水２１を、水中ポンプ２で吸引させる第３のステップと、を有することにより、水位の影響を受けることなく、安定して排水を行うことが可能であり、釜場１８内の濁水２１を殆ど残すことなく吸引が可能である。また、異物が装置内部に入ることを防止するため、異物が水中ポンプ２に吸引されることがなく、安定して排水を行うことを可能とする。
【００３１】
なお、本発明にかかる釜場排水装置の構造は、上記した実施の形態に何ら限定されるものではなく、本発明の趣旨を逸脱しない範囲で、容器の形状や大きさ、外側ストレーナ部表面に形成されたスリットの間隔や、砂利の種類等を適宜変更することができる。
【００３２】
例えば、図３（ａ）に示すように、釜場排水装置１の外周では、吸引時に釜場と釜場排水装置との間において、濁水２１の巻き揚げ現象２３が発生する場合がある。この現象により、濁水２１の流れ込みが安定しないことから、水中ポンプ２の吸引も安定しないという問題がある。それ故、当該現象の発生を防止するため、図３（ｂ）に示すように、容器５外周には、巻き上げ防止板１６を設けても良く、適宜変更可能である。
すなわち、容器５外周には、板厚が６ｍｍ以下、容器５表面からの突出幅が５０〜９０ｍｍ以下（好ましくは約７０ｍｍ）とし、容器５の底蓋１２又は底蓋１２に設けられた脚１３，１３・・から所定の高さ（好ましくは２００ｍｍ）に巻き上げ防止板１６が設けられたことにより、吸引時に釜場１８と釜場排水装置１との間で濁水２１が巻き揚げられる巻き上げ現象２３が発生することを防止するため、濁水２１の排水を安定して行うことが可能である。
【００３３】
また、釜場排水装置１により、濁水２１を釜場から吸引した後、そのまま河川や下水に流すことが可能であるが、濁水２１をノッチタンクへと流してノッチタンク内で更に濾過しても良く、適宜変更可能である。
【符号の説明】
【００３４】
１・・釜場排水装置、２・・水中ポンプ、３・・サクションホース、５・・容器、６・・外側ストレーナ部、７・・スリット、８・・内側ストレーナ部、９・・砂利、１０・・上蓋、１１・・吊りカン、１２・・底蓋、１３・・脚、１４・・上板、１５・・カバー、１６・・巻き上げ防止板、１８・・釜場、１９・・掘削床面、２０・・釜場掘下面、２１・・濁水、２２・・水位面、２３・・巻き上げ現象、２４・・空間（沈砂用）。
【図１】
2012241653.tif 000003
【図２】
2012241653.tif 000004
【図３】
2012241653.tif 000005